(57)【要約】【課題】本発明は、センサによる好適なセンシングを実現しつつ小型化できるセンサユニット、そのセンサユニットを備えた照明器具、及びそのセンサユニットを備えた電子機器を提供することを目的とする。【解決手段】外部の状態をセンシングするセンサ基板５０と、該センサ基板５０と電気的に接続され信号処理を行う部分である制御基板３０とを備える。該センサ基板５０は、該制御基板３０の上部に該制御基板３０に対して斜めに配置されたことを特徴とする。【選択図】図１
2019204665.tif 000002
【特許請求の範囲】
【請求項１】
センサ基板と、
前記センサ基板と電気的に接続された制御基板とを備え、
前記センサ基板は、前記制御基板の上部に前記制御基板に対して斜めに配置されたことを特徴とするセンサユニット。
【請求項２】
板状のベース部と、前記ベース部に設けられ前記制御基板が取り付けられた制御基板取付部と、前記制御基板取付部の一部の上に設けられ前記センサ基板が取り付けられたセンサ基板取付部と、を有するケース本体を備えたことを特徴とする請求項１に記載のセンサユニット。
【請求項３】
前記センサ基板取付部には、前記制御基板の一部が入り込む切り込み部が形成され、
前記センサ基板取付部の一部は制御基板の直上にあることを特徴とする請求項２に記載のセンサユニット。
【請求項４】
前記センサ基板取付部は前記制御基板に対して斜めになる支持部を備え、
前記センサ基板は前記支持部に取り付けられたことで前記制御基板に対して斜めに配置されたことを特徴とする請求項２または３に記載のセンサユニット。
【請求項５】
前記支持部は、前記センサ基板の外縁に沿った外縁部分を支持することを特徴とする請求項４に記載のセンサユニット。
【請求項６】
前記制御基板取付部には前記制御基板の端子を露出させる開口が形成されたことを特徴とする請求項２から５のいずれか１項に記載のセンサユニット。
【請求項７】
前記制御基板は、前記開口を覆うように前記制御基板取付部に取り付けられたことを特徴とする請求項６に記載のセンサユニット。
【請求項８】
前記センサ基板と前記センサ基板取付部を覆い、前記ケース本体に固定されたカバーを備えたことを特徴とする請求項２から７のいずれか１項に記載のセンサユニット。
【請求項９】
前記カバーは、前記センサ基板と対向する対向面を有することを特徴とする請求項８に記載のセンサユニット。
【請求項１０】
請求項１から９のいずれか１項に記載のセンサユニットと、光源と、外部信号に応じて前記光源の点灯を制御する点灯制御部と、を備え、
前記センサ基板は人または物体の移動を検知するセンサを有し、
前記制御基板は、前記点灯制御部と接続する接続部と、前記点灯制御部と通信する第１通信部と、前記センサ基板と通信する第２通信部と、前記センサ基板から受けた信号をコマンドに変換して前記点灯制御部に送信する変換回路と、を備えたことを特徴とする照明器具。
【請求項１１】
前記第１通信部と前記第２通信部は、異なる通信プロトコルのＵＡＲＴ方式であることを特徴とする請求項１０に記載の照明器具。
【請求項１２】
前記第１通信部はＵＡＲＴ方式であり、前記第２通信部はＰＷＭ信号またはデジタル信号による通信方式であることを特徴とする請求項１０に記載の照明器具。
【請求項１３】
前記制御基板は、前記センサ基板とは異なるユーザ又は外部状態の指令を受信する指令回路を有することを特徴とする請求項１０から１２のいずれか１項に記載の照明器具。
【請求項１４】
前記指令回路は、ユーザからの指令を受信する受光素子を有することを特徴とする請求項１３に記載の照明器具。
【請求項１５】
前記指令回路は、ユーザが指令を入力するスイッチを有することを特徴とする請求項１３に記載の照明器具。
【請求項１６】
前記点灯制御部は、前記制御基板と前記センサ基板が動作する電源を給電することを特徴とする請求項１０から１５のいずれか１項に記載の照明器具。
【請求項１７】
請求項１から９のいずれか１項に記載のセンサユニットと、
前記センサユニットの一部が挿入された挿入孔が形成され、前記挿入孔から前記センサ基板が突出する化粧板と、を備えたことを特徴とする電子機器。
【請求項１８】
前記センサ基板は、前記化粧板に対して斜めに取り付けられたことを特徴とする請求項１７に記載の電子機器。
【発明の詳細な説明】
【技術分野】
【０００１】
本発明は、センサユニット、照明器具及び電子機器に関する。
【背景技術】
【０００２】
特許文献１には、第２〜第４の制御ユニットを適宜追加することにより、電源ユニットと第１制御ユニットの基本構成では実現できない新たな機能を容易に実現可能な照明制御装置を開示している。第２〜第４の制御ユニットで実現される機能が不要になれば、第２〜第４の制御ユニットを簡単に取り外すことができ、ハードウェアの追加を要する機能を容易に追加可能となる。
【先行技術文献】
【特許文献】
【０００３】
【特許文献１】特開２０１７−２２０１３号公報
【発明の概要】
【発明が解決しようとする課題】
【０００４】
照明器具には各種のセンサが用いられる。センサと制御基板をケースに実装することでセンサユニットが提供される。センサユニットには、センサによる好適なセンシングを実現しつつ可能な限り小型化することが求められている。
【０００５】
本発明は、上述のような課題を解決するためになされたもので、センサによる好適なセンシングを実現しつつ小型化できるセンサユニット、照明器具及び電子機器を提供することを目的とする。
【課題を解決するための手段】
【０００６】
本願の発明に係るセンサユニットは、センサ基板と、該センサ基板と電気的に接続された制御基板とを備え、該センサ基板は、該制御基板の上部に該制御基板に対して斜めに配置されたことを特徴とする。
【０００７】
本発明のその他の特徴は以下に明らかにする。
【発明の効果】
【０００８】
本発明によれば、センサ基板を、制御基板の上部に制御基板に対して斜めに配置したので、センサによる好適なセンシングを実現しつつセンサユニットを小型化できる。
【図面の簡単な説明】
【０００９】
【図１】実施の形態１に係るセンサユニットの分解図である。
【図２】センサユニットの別の分解図である。
【図３】制御基板とセンサ基板が取り付けられたケース本体の斜視図である。
【図４】カバーが取り付けられたケース本体の斜視図である。
【図５】センサユニットの斜視図である。
【図６】センサユニットの正面図、側面図、平面図及び底面図である。
【図７】図６の一点鎖線におけるセンサユニットの断面図である。
【図８】実施の形態２に係る電子機器の分解図である。
【図９】化粧板が取り付けられた本体部の斜視図である。
【図１０】図９の電子機器の正面図である。
【図１１】カバーを取り付けた電子機器の斜視図である。
【図１２】図１１の電子機器の正面図、側面図、平面図及び底面図である。
【図１３】内部を可視化した電子機器の側面図である。
【図１４】図１２の一点鎖線における電子機器の断面図である。
【図１５】実施の形態３に係る照明器具の構成例を示すブロック図である。
【図１６】点灯制御部の構成例を示す図である。
【図１７】センサ基板の構成例を示す図である。
【図１８】制御基板の構成例を示す図である。
【図１９】照明器具の通信方式を示す図である。
【図２０】実施の形態４における照明器具が備えるセンサ基板を示す図である。
【図２１】制御基板を示す図である。
【図２２】照明器具の通信方式を示す図である。
【図２３】実施の形態５の照明器具が備える制御基板の構成例を示す図である。
【図２４】実施の形態６の照明器具が備える制御基板の構成例を示す図である。
【発明を実施するための形態】
【００１０】
本発明の実施の形態に係るセンサユニット、照明器具及び電子機器について図面を参照して説明する。同じ又は対応する構成要素には同じ符号を付し、説明の繰り返しを省略する場合がある。
【００１１】
実施の形態１．
図１は、実施の形態１に係るセンサユニット１０の分解図である。センサユニット１０はケース本体１２を備えている。ケース本体１２は、制御基板取付部１４と、ベース部１５と、センサ基板取付部２０とを備えている。ベース部１５はおおよそ板状の部分に加えて他部材との嵌合に用いる凸部などを含む。このベース部１５に制御基板取付部１４が設けられている。制御基板取付部１４には開口１６が形成されている。制御基板取付部１４の一部の上にセンサ基板取付部２０が設けられている。センサ基板取付部２０はベース部１５及び制御基板取付部１４に対して直立する構造体である。センサ基板取付部２０は根元部分に切り込み部１８を有している。切り込み部１８がある部分ではセンサ基板取付部２０のｙ方向の長さが短くなっている。センサ基板取付部２０は支持部２０ａを備えている。支持部２０ａはベース部１５に対して傾斜した面である。
【００１２】
制御基板３０はセンサユニット１０の信号処理などを行う部分である。制御基板３０はそのような信号処理を可能とする演算回路を備えることができる。この制御基板３０はハーネスアセンブリ４０によってセンサ基板５０と接続することができる。
【００１３】
センサ基板５０は外部の観察に用いるセンサを含む。センサの種類は特に限定されないが、例えば、赤外線エネルギー量の変化を検知する人体検出用の赤外線センサ、熱線センサ若しくは電波式センサなどの人感センサ、明るさセンサ、又は画像センサなどが該当する。
【００１４】
カバー６０はセンサユニット１０の内容物を覆うものである。カバー６０は、突出したセンサカバー部６２を有している。センサカバー部６２の中は空洞になっている。
【００１５】
図２は、実施の形態１に係るセンサユニット１０の別の分解図である。図２に示されるように制御基板取付部１４は、例えば４角形又は環状の枠体とすることができる。制御基板取付部１４の一辺又は一部にセンサ基板取付部２０を設けることができる。言い換えると、制御基板取付部１４のｚ正方向の位置にセンサ基板取付部２０を設けることができる。
【００１６】
カバー６０は、センサ基板５０と対向する対向面６２ａを有している。組立後の状態において、対向面６２ａとセンサ基板５０とをほぼ平行にすることができる。これにより、センサ基板５０単体と同様のセンサ検知範囲が得られる。
【００１７】
図３は、制御基板３０とセンサ基板５０が取り付けられたケース本体１２の斜視図である。前述した制御基板取付部に制御基板３０が取り付けられている。制御基板３０は、図２の開口１６を覆うように制御基板取付部１４に取り付けることができる。図２に示す開口１６に、制御基板３０のテストランドなどの端子を露出させることで、制御基板３０をケース本体１２に収納した状態で制御基板３０のマイコンのソフトウェア書き込み、生産ラインでのテストモード検査などが可能となる。このように、図２の制御基板取付部１４は制御基板３０の端子を露出させる開口１６を提供できる形状とすることができる。
【００１８】
図３には、制御基板３０の一部が切り込み部１８に入り込んだことが図示されている。これにより、センサ基板取付部２０の一部が制御基板３０の直上あるいはｚ正方向にある。この構成により、センサ基板５０の少なくとも一部を制御基板３０の上部に配置することができる。センサ基板５０と制御基板３０を重ねて配置することは、センサユニット１０の面積を小さくし、センサユニット１０の小型化に貢献する。
【００１９】
図３には、センサ基板取付部２０にセンサ基板５０が取り付けられたことが図示されている。センサ基板５０は、制御基板３０の上部に制御基板３０に対して斜めに配置される。具体的には、制御基板３０の法線ベクトルはｚ正方向に伸びるが、センサ基板５０の法線ベクトルはｚ成分とｙ成分をもつ。こうして、センサ基板５０のセンサ面は、制御基板３０に対して平行ではなく、斜めになっている。このような斜め配置は、この例では、センサ基板取付部２０が制御基板３０に対して斜めになる支持部２０ａを備え、その支持部２０ａにセンサ基板５０を取り付けたことで実現される。そして、支持部２０ａは、センサ基板５０の外縁に沿った外縁部分を支持し、センサ基板５０の中央部は支持せず露出させる。
【００２０】
センサ基板５０と制御基板３０を電気的に接続するハーネスアセンブリ４０は、図３の例では、センサ基板取付部２０に格納される。
【００２１】
図４は、カバー６０が取り付けられたケース本体１２の斜視図である。カバー６０は、センサ基板５０とセンサ基板取付部２０を覆った状態でケース本体１２に固定される。制御基板３０に設けられた接続部３０Ｒはカバー６０から露出する。接続部３０Ｒはコネクタ又はハーネスである。図５は、図４とは別の角度から見た組立後のセンサユニット１０の斜視図である。図６はセンサユニット１０の正面図、側面図、平面図、底面図である。正面図から、センサカバー部６２は、ケース本体１２からはみ出さず、センサユニット１０の面積増加を回避する形で提供されることが分かる。
【００２２】
図７は、図６の一点鎖線における断面図である。センサ基板５０は、制御基板３０の上部又はｚ正方向に、制御基板３０に対して斜めに配置されたことが図示されている。
【００２３】
実施の形態１に係るセンサユニット１０は、ケース本体１２に制御基板３０とセンサ基板５０が容易に固定および収納できるものである。また、センサ基板取付部２０を設けることで、センサ基板５０を、制御基板３０の上方に制御基板３０に対して角度をつけて保持することができる。このような構成は、センサ基板５０が所望の位置に安定して固定されることを可能とするので、センサによる好適なセンシングを実現できる。
【００２４】
実施の形態２．
図８は、実施の形態２に係る電子機器の分解図である。この電子機器は例えば照明器具、防犯装置、自動販売機又は自動ドアである。この電子機器は、実施の形態１で説明したセンサユニット１０を備える。センサユニット１０は電子機器の本体部７０に固定されている。化粧板７２には挿入孔７２ａが設けられている。カバー７４は化粧板７２に取り付けられるものである。
【００２５】
図９は、化粧板７２が取り付けられた本体部７０の斜視図である。化粧板７２の挿入孔７２ａにセンサユニット１０の一部が挿入され、この挿入孔７２ａからセンサ基板５０が突出する。挿入孔７２ａから少なくともセンサカバー部６２を露出させることができる。挿入孔７２ａからセンサ基板５０が突出することでセンサの検知範囲を確保することができる。センサユニット１０に設けられたセンサ基板５０は、例えば、ｘｙ平面に平行な化粧板７２に対して斜めに取り付けられる。図１０は、図９の正面図である。
【００２６】
図１１は、カバー７４を取り付けた電子機器の斜視図である。カバー７４はセンサユニット１０の上に取り付けられるので、センサユニット１０を覆わない。図１２は図１１の電子機器の正面図、側面図、平面図及び底面図である。図１３は内部を可視化した電子機器の側面図である。図１４は、図１２の一点鎖線における断面図である。センサ基板５０の法線方向が斜め下方を向いているので、センサ基板５０を制御基板３０と平行に設けた場合とは異なる検知範囲を得ることができる。
【００２７】
実施の形態３．
図１５は、照明器具８０の構成例を示すブロック図である。この照明器具８０は、少なくとも１つの発光素子を有する光源８２と、光源８２を点灯させる点灯制御部８４と、上述のセンサユニット１０とを備える。点灯制御部８４は、外部信号に応じて光源８２の点灯を制御する。センサユニット１０は制御基板３０とセンサ基板５０を備えている。制御基板３０は、点灯制御部８４に調光指令を出力する。センサ基板５０は例えば人または物体の移動を検知するセンサである。点灯制御部８４と、制御基板３０と、センサ基板５０は個別の基板から構成され、それぞれが、容易に着脱可能な構造で接続される。基板間をコネクタ又はハーネスで電気的に接続することができる。
【００２８】
図１６は、点灯制御部８４の構成例を示す図である。点灯制御部８４は、交流電源を整流し直流に変換する整流回路８４Ａと、光源８２を点灯させる点灯回路８４Ｂと、光源８２に接続する為の接続端子８４Ｃとを備える。点灯回路８４Ｂの動作は制御回路８４Ｄで制御される。制御回路８４Ｄの動作電源を生成する第２電源回路８４Ｅと、点灯制御部８４から出力する電圧を生成する第１電源回路８４Ｆが提供されている。
【００２９】
第１通信端子８４Ｇは、第１電源出力端子８４ａ、第１ＵＡＲＴ（Universal Asynchronous Receiver Transmitter）信号受信端子８４ｂ、第１ＵＡＲＴ信号送信端子８４ｃ及び第１グランド端子８４ｄを備えている。第１電源出力端子８４ａは生成した出力電圧を出力する端子である。第１ＵＡＲＴ信号受信端子８４ｂは制御回路８４Ｄに外部からのＵＡＲＴ信号を入力する端子である。第１ＵＡＲＴ信号送信端子８４ｃは制御回路８４Ｄから外部にＵＡＲＴ信号を出力する端子である。第１グランド端子８４ｄは点灯制御部８４のグランドと制御基板３０のグランドを共通化した端子である。
【００３０】
図１７は、センサ基板５０の構成例を示す図である。信号処理回路５０Ａは例えばセンサで検知した光を電流に変換する部分である。この信号処理回路５０Ａは、制御基板３０と接続される第４通信端子５０Ｂにつながっている。第４通信端子５０Ｂは、第２電源入力端子５０ａ、第３信号通信端子５０ｂ、第４信号通信端子５０ｃ及び第４グランド端子５０ｄを備えている。第２電源入力端子５０ａは、制御基板３０から供給される電源を信号処理回路５０Ａに供給する端子である。第３信号通信端子５０ｂは制御基板３０を制御する信号を出力する端子である。第４信号通信端子５０ｃは制御基板３０からの信号を受信する端子である。第４グランド端子５０ｄはセンサ基板５０のグランドと制御基板３０のグランドを共通化する端子である。第３信号通信端子５０ｂと第４信号通信端子５０ｃの通信仕様は、一般的なＵＡＲＴ方式とすることができる。
【００３１】
センサ基板５０は、人または物体の移動により、出力した無線周波数の変化によって人または物体の在不在又は接近離反の判定を行い、その判定結果を制御基板３０に送信する電波センサモジュールとすることができる。
【００３２】
図１８は、制御基板３０の構成例を示す図である。制御基板３０は、点灯制御部８４と接続する第２通信端子３０Ａと、センサ基板５０と接続する第３通信端子３０Ｂと、変換回路３０Ｃと第３電源回路３０Ｄを備える。変換回路３０Ｃは、第２通信端子３０Ａ又は第３通信端子３０Ｂから入力した信号を異なる通信プロトコルのコマンドに変換し送信する。第３電源回路３０Ｄは変換回路３０Ｃを駆動させる電源を生成する。
【００３３】
第２通信端子３０Ａは、第１電源入力端子３０ａと、第２ＵＡＲＴ信号送信端子３０ｂと、第２ＵＡＲＴ信号受信端子３０ｃと、第２グランド端子３０ｄを備えている。第１電源入力端子３０ａは点灯制御部８４の第１電源出力端子８４ａと接続される。第２ＵＡＲＴ信号送信端子３０ｂは点灯制御部８４の第１ＵＡＲＴ信号受信端子８４ｂと接続される。第２ＵＡＲＴ信号受信端子３０ｃは点灯制御部８４の第１ＵＡＲＴ信号送信端子８４ｃと接続される。第２グランド端子３０ｄは点灯制御部８４の第１グランド端子８４ｄと接続される。
【００３４】
第３通信端子３０Ｂは、第２電源出力端子３０ｅと、第１信号通信端子３０ｆと、第２信号通信端子３０ｇと、第３グランド端子３０ｈを備えている。第２電源出力端子３０ｅはセンサ基板５０の第２電源入力端子５０ａと接続する。第１信号通信端子３０ｆはセンサ基板５０の第３信号通信端子５０ｂと接続する。第２信号通信端子３０ｇはセンサ基板５０の第４信号通信端子５０ｃと接続する。第３グランド端子３０ｈはセンサ基板５０の第４グランド端子５０ｄと接続する。
【００３５】
例えば、変換回路３０Ｃが第１信号通信端子３０ｆ及び第２信号通信端子３０ｇから調光率指令を受信した場合、変換回路３０Ｃにて当該指令を点灯制御部８４のプロトコル、コマンドに変換し調光率を送信する。例えば、変換回路３０Ｃは、第１信号通信端子３０ｆ及び第２信号通信端子３０ｇから在不在もしくは接近離反の判定結果を受信した場合、在又は接近の場合は全光点灯、不在又は離反の場合は消灯といった、あらかじめ定められた調光率を点灯制御部８４へ送信する。
【００３６】
図１９は、この照明器具の通信方式を示す図である。センサ基板５０は移動体の状態を検知すると、第４信号通信端子５０ｃから制御基板３０の第２信号通信端子３０ｇに第２ＵＡＲＴ通信４１で指令を送信する。指令を受信した制御基板３０は、第２ＵＡＲＴ通信４１の指令を異なる通信プロトコルのコマンドに変換し、第２通信端子３０Ａの第２ＵＡＲＴ信号送信端子３０ｂから、点灯制御部８４の第１ＵＡＲＴ信号受信端子８４ｂに第１ＵＡＲＴ通信３９で調光指令を送信する。
【００３７】
照明器具８０は、センサ基板５０の第２ＵＡＲＴ通信４１による信号を、制御基板３０が点灯制御部８４を制御する第１ＵＡＲＴ通信３９による信号に変換し、光源８２を制御する。制御基板３０は、点灯制御部８４と接続する接続部と、点灯制御部８４と通信する第１通信部と、センサ基板５０と通信する第２通信部と、変換回路３０Ｃを備えたということができる。接続部は第２通信端子３０Ａである。第１通信部は変換回路３０Ｃと第２通信端子３０Ａである。第２通信部は変換回路３０Ｃと第３通信端子３０Ｂである。変換回路３０Ｃは、センサ基板５０から受けた信号をコマンドに変換して点灯制御部８４に送信することができる。
【００３８】
第１通信部と第２通信部は、異なる通信プロトコルのＵＡＲＴ方式とすることができる。そして、制御基板３０が、点灯制御部８４とセンサ基板５０の異なる通信プロトコルとコマンドを変換することで、点灯制御部８４とセンサ基板５０のどちらか一方の通信プロトコルとコマンドに合わせた通信仕様にする必要が無くなる。
【００３９】
さらに、汎用部品のセンサ基板５０を使用しても、点灯制御部８４の通信プロトコルとコマンドを変更する必要がなく、点灯制御部８４の標準化が可能となる。また、センサ基板５０と、制御基板３０と、点灯制御部８４が個別の基板から構成されることで、これらの基板をそれぞれの機能に適した場所に設けることが可能となる。点灯制御部８４から、制御基板３０とセンサ基板５０が動作する電源を給電してもよい。具体的には、点灯制御部８４の第１電源出力端子８４ａから、制御基板３０とセンサ基板５０へ給電することができる。
【００４０】
実施の形態４．
図２０は、実施の形態４における照明器具が備えるセンサ基板５０を示す図である。上述のセンサ基板５０と異なる点のみ説明する。図２０のセンサ基板５０は制御基板３０と接続する第５通信端子５０Ｃを備える。第５通信端子５０Ｃは、第２電源入力端子５０ａと、第４グランド端子５０ｄと、第５信号通信端子５０ｅとを備える。第２電源入力端子５０ａは制御基板３０から供給される電源を信号処理回路５０Ａに供給する端子である。第４グランド端子５０ｄはセンサ基板５０のグランドと制御基板３０のグランドを共通化する。第５信号通信端子５０ｅは制御基板３０を制御する信号を出力する端子である。第５信号通信端子５０ｅの信号は、ＰＷＭ信号又はデジタル信号である。例えば、センサ基板５０はセンサの検出結果から制御基板３０に調光指令を送信するセンサモジュールであり、ＰＷＭ信号により、ＯＮＤＵＴＹを変化させることで調光指令値を決定する。例えば、センサ基板５０は、人または物体の移動により、出力した無線周波数の変化によって、人又は物体の在不在又は接近離反の判定を行い、その判定結果を制御基板３０に送信することもできる。判定結果は、デジタル出力により、Ｈｉｇｈであれば在判定、Ｌｏｗであれば不在判定として送信することができる。
【００４１】
図２１は、実施の形態４における制御基板３０を示す図である。上述した制御基板３０と異なる点のみ説明する。図２１の制御基板３０はセンサ基板５０と接続する第６通信端子３０Ｅを備える。第６通信端子３０Ｅは、第２電源出力端子３０ｅ、第３グランド端子３０ｈ及び第６通信信号端子３０ｉを備える。第２電源出力端子３０ｅはセンサ基板５０の第２電源入力端子５０ａと接続する。第３グランド端子３０ｈは、センサ基板５０の第４グランド端子５０ｄと接続する。第６通信信号端子３０ｉはセンサ基板５０の第５信号通信端子５０ｅと接続する。
【００４２】
図２２は、実施の形態４の照明器具の通信方式を示す図である。実施の形態１の通信方式と異なる点のみ説明する。センサ基板５０は、センサの検知結果を制御基板３０にＰＷＭ又はデジタルの通信信号４２により送信する。ＰＷＭ又はデジタルの通信信号４２を受信した制御基板３０は、信号を点灯制御部８４が受信可能な通信プロトコルのコマンドに変換し、第１ＵＡＲＴ通信３９にて点灯制御部８４に送信する。制御基板３０の点灯制御部８４と通信する第１通信部はＵＡＲＴ方式であり、センサ基板５０と通信する第２通信部はＰＷＭ信号またはデジタル信号による通信方式である。
【００４３】
実施の形態４における照明器具は、センサ基板５０の通信信号４２による信号を、制御基板３０が点灯制御部８４を制御する第１ＵＡＲＴ通信３９による信号に変換し、光源８２を制御する。実施の形態４における照明器具は、実施の形態１における照明器具と同様の効果がある。さらに、制御基板３０とセンサ基板５０の通信信号４２が、ＰＷＭ信号又はデジタル信号となることから、制御基板３０に設けた変換回路３０Ｃの処理が容易になり、通信負荷を抑制できる。制御基板３０に独立したプロトコルとコマンドの通信手段を２つ持たせることで、点灯制御部８４のプロトコルとコマンドによらないセンサ基板５０の選択が可能となる。
【００４４】
実施の形態５．
図２３は実施の形態５の照明器具が備える制御基板３０の構成例を示す図である。実施の形態３、４における制御基板３０と異なる点のみ説明する。図２３の制御基板３０は、ユーザからの指令を取得するスイッチ９０を備える。ユーザがスイッチ９０を操作することで制御基板３０から点灯制御部８４に対して調光信号が送信され、光源８２の調光操作を行う。人感センサを有する照明器具では、人感センサの使用、未使用を切り替えるスイッチを追加してもよい。人感センサを使用した場合、不在確定から不在時調光率を点灯制御部８４に送信するまでの時間を設定することができる。また、スイッチ９０を照明器具の外部から目視可能な位置に設置することで、器具設置状態でスイッチ９０を扱うことを可能としたり、スイッチの設定を変更したり、スイッチの設定状態の確認をしたりすることが可能となる。
【００４５】
実施の形態６．
図２４は実施の形態６の照明器具が備える制御基板３０の構成例を示す図である。実施の形態３、４における制御基板３０と異なる点のみ説明する。図２４の制御基板３０は、ユーザからの指令を取得する受光素子９２を備える。受光素子９２は例えば赤外線受光素子である。ユーザがリモコン等のデータ設定器９４から送信した調光指令又は設定値を受光素子９２で受信する。受信した信号に応じて制御基板３０から点灯制御部８４に対して指令を出力する。例えば、センサ基板５０で人または物体の不在を検知した際、制御基板３０が点灯制御部８４に送信する調光率を、変換回路３０Ｃが受光素子９２の信号に応じて変更又は設定することができる。さらに、不在判定した状態から消灯又は調光の調光率を送信するまでの時間なども、データ設定器９４の操作によって変更可能とする。例えば倉庫又は体育館などの高い天井に取り付けられた照明器具は容易に触れることができるものではない。しかし、そのような場合であっても上述の受光素子９２を設けることで外部から照明器具の設定をしたり設定を調整したりすることができる。
【００４６】
実施の形態５ではユーザからの指令を取得するスイッチ９０に言及し、実施の形態６ではユーザからの指令を取得する受光素子９２に言及した。スイッチ９０と受光素子９２は、センサ基板５０とは異なるユーザ又は外部状態の指令を受信する指令回路の一例である。別の種類の指令回路を設けてユーザ又は外部状態の指令を取得してもよい。
【００４７】
点灯制御部８４と、制御基板３０と、センサ基板５０を分離できる構造とすることで、点灯制御部８４とセンサ基板５０を変更することなく、図２３、２４に示すように制御基板３０の構成を一部変更することが容易となる。これは機能拡張を容易にする。
【符号の説明】
【００４８】
１０  センサユニット、  １２  ケース本体、  １４  制御基板取付部、  １５  ベース部、  １６  開口、  １８  切り込み部、  ２０  センサ基板取付部、  ２０ａ  支持部、  ３０  制御基板、  ４０  ハーネスアセンブリ、  ５０  センサ基板、  ６０  カバー、  ６２  センサカバー部、  ７０  本体部、  ７２  化粧板、  ７４  カバー、  ８０  照明器具、  ８２  光源、  ８４  点灯制御部、  ３０Ｃ  変換回路、  ９０  スイッチ、  ９２  受光素子、  ９４  データ設定器
【図１】
2019204665.tif 000003
【図２】
2019204665.tif 000004
【図３】
2019204665.tif 000005
【図４】
2019204665.tif 000006
【図５】
2019204665.tif 000007
【図６】
2019204665.tif 000008
【図７】
2019204665.tif 000009
【図８】
2019204665.tif 000010
【図９】
2019204665.tif 000011
【図１０】
2019204665.tif 000012
【図１１】
2019204665.tif 000013
【図１２】
2019204665.tif 000014
【図１３】
2019204665.tif 000015
【図１４】
2019204665.tif 000016
【図１５】
2019204665.tif 000017
【図１６】
2019204665.tif 000018
【図１７】
2019204665.tif 000019
【図１８】
2019204665.tif 000020
【図１９】
2019204665.tif 000021
【図２０】
2019204665.tif 000022
【図２１】
2019204665.tif 000023
【図２２】
2019204665.tif 000024
【図２３】
2019204665.tif 000025
【図２４】
2019204665.tif 000026